(57)【要約】【課題】連続して視聴制限を解除することが困難なＡＶ機器を提供すること【解決手段】他の通信機器と通信する通信部と、視聴制限条件に該当する毎に前記通信部を介して前記他の通信機器に認証情報の設定要求を行い、前記認証情報の設定要求に対する前記他の通信機器からの応答に応じて所定の処理を実行する制御部と、を備える。【選択図】図３
2015104079.tif 000002
【特許請求の範囲】
【請求項１】
他の通信機器と通信する通信部と、
視聴制限条件に該当する毎に前記通信部を介して前記他の通信機器に認証情報の設定要求を行い、前記認証情報の設定要求に対する前記他の通信機器からの応答に応じて所定の処理を実行する制御部と、
を備えるＡＶ機器。
【請求項２】
入力信号からレイティング情報を分離する分離部を備え、
前記制御部は前記レイティング情報を取得する毎に少なくとも自機器の視聴制限情報と前記レイティング情報とに基づいて前記通信部を介して前記他の通信機器に認証情報の設定要求を行い、前記認証情報の設定要求に対する前記他の通信機器からの応答に応じて所定の処理を実行する請求項１に記載のＡＶ機器。
【請求項３】
前記制御部は前記認証情報の設定要求を行う際に表示部に待機画面を表示する請求項１又は請求項２に記載のＡＶ機器。
【請求項４】
前記制御部は前記他の通信機器からの応答に含まれる認証情報に基づいて認証画面を前記表示部に表示する請求項３に記載のＡＶ機器。
【請求項５】
前記制御部は前記他の通信機器からの応答に含まれる認証情報作成指示情報に基づいて認証情報を生成し、前記認証情報に基づいて認証画面を前記表示部に表示する請求項３に記載のＡＶ機器。
【請求項６】
前記制御部は認証画面を前記表示部に表示する際に前記通信部を介して前記認証情報を所定の通信機器に対して通知する請求項４又は請求項５に記載のＡＶ機器。
【請求項７】
前記制御部は前記他の通信機器からの応答に含まれる承認情報に基づいて対象番組を前記表示部に表示する請求項３に記載のＡＶ機器。
【請求項８】
前記制御部は前記通信部と自機器に対応付けられた通信機器との通信状態を判定し、自機器の視聴制限情報と前記レーティング情報と前記通信状態とに基づいて前記通信部を介して前記他の通信機器に認証情報の設定要求を行う請求項１〜請求項７のいずれか１項に記載のＡＶ機器。
【発明の詳細な説明】
【技術分野】
【０００１】
本発明は、視聴制限機能を備えるＡＶ機器に関する。
【背景技術】
【０００２】
従来より子供に視聴させることが望ましくないテレビ番組（例えば暴力シーンのある番組や成人向けの番組）を子供が視聴することを防止するために視聴制限機能を備えるＡＶ機器が利用されている。放送信号には映像情報や音声情報の他に番組配列情報が含まれており、番組配列情報はＰＡＴ（Ｐｒｏｇｒａｍ  Ａｓｓｏｃｉａｔｉｏｎ  Ｔａｂｌｅ）やＰＭＴ（Ｐｒｏｇｒａｍ  Ｍａｐ  Ｔａｂｌｅ）等により構成される。ＰＭＴのパレンタルレート記述子のフィールドにはレイティング情報が記述されている。
【０００３】
レイティングシステムはＮＡＢ（Ｎａｔｉｏｎａｌ  Ａｓｓｏｃｉａｔｉｏｎ  ｏｆ  Ｂｒｏａｄｃａｓｔ）、ＮＣＴＡ（Ｎａｔｉｏｎａｌ  Ｃａｂｌｅ  Ｔｅｌｅｖｉｓｉｏｎ  Ａｓｓｏｃｉａｔｉｏｎ）及びＭＰＡＡ（Ｍｏｔｉｏｎ  Ｐｉｃｔｕｒｅ  Ａｓｓｏｃｉａｔｉｏｎ  ｏｆ  Ａｍｅｒｉｃａ）によって設立され、テレビ番組の視聴制限を行うＴＶ  Ｐａｔｅｎｔａｌ  Ｇｕｉｄｅｌｉｎｅｓとしても知られている。
【０００４】
ＡＶ機器は放送信号に含まれるレイティング情報と自機器に設定されたパレンタルレベル（Ｐａｒｅｎｔａｌ  Ｌｅｖｅｌ）とを比較して、パレンタルレベル（以下、明細書及び特許請求の範囲において「パレンタルレベル」を「視聴制限情報」と称することもある）の年齢がレイティング情報の年齢よりも低い場合に対象番組の視聴を制限する（例えば特許文献１参照）。一般的に視聴制限はパスワードによって解除可能である。ＡＶ機器は視聴制限を行う場合に表示画面にパスワードの入力画面を表示し、入力されたパスワードが予め定められたパスワードに一致すると視聴制限を解除して対象番組を表示する。
【先行技術文献】
【特許文献】
【０００５】
【特許文献１】特開平１１−２５２４０３号公報
【発明の概要】
【発明が解決しようとする課題】
【０００６】
パスワードは一度設定すると変更されるまでは同一のパスワードにより視聴制限が実行される。従って、子供がパスワードを知り、それにより視聴制限が解除できた場合、それ以後パスワードが変更されるまではそのパスワードを使って連続して視聴制限を解除可能であり、実質的に視聴制限がなされていない状態となる。
【０００７】
本発明は上述した問題点に鑑み、連続して視聴制限を解除することが困難なＡＶ機器を提供すること目的とする。
【課題を解決するための手段】
【０００８】
上記目的を達成するために本発明のＡＶ機器は、他の通信機器と通信する通信部と、視聴制限条件に該当する毎に前記通信部を介して前記他の通信機器に認証情報の設定要求を行い、前記認証情報の設定要求に対する前記他の通信機器からの応答に応じて所定の処理を実行する制御部と、を備えることを特徴としている。
【０００９】
また上記構成のＡＶ機器において、入力信号からレイティング情報を分離する分離部を備え、前記制御部は前記レイティング情報を取得する毎に少なくとも自機器の視聴制限情報と前記レイティング情報とに基づいて前記通信部を介して前記他の通信機器に認証情報の設定要求を行い、前記認証情報の設定要求に対する前記他の通信機器からの応答に応じて所定の処理を実行することが望ましい。
【００１０】
また上記構成のＡＶ機器において、前記制御部は前記認証情報の設定要求を行う際に表示部に待機画面を表示することが望ましい。
【００１１】
また上記構成のＡＶ機器において、前記制御部は前記他の通信機器からの応答に含まれる認証情報に基づいて認証画面を前記表示部に表示することが望ましい。
【００１２】
また上記構成のＡＶ機器において、前記制御部は前記他の通信機器からの応答に含まれる認証情報作成指示情報に基づいて認証情報を生成し、前記認証情報に基づいて認証画面を前記表示部に表示することが望ましい。
【００１３】
また上記構成のＡＶ機器において、前記制御部は認証画面を前記表示部に表示する際に前記通信部を介して前記認証情報を所定の通信機器に対して通知することが望ましい。
【００１４】
また上記構成のＡＶ機器において、前記制御部は前記他の通信機器からの応答に含まれる承認情報に基づいて対象番組を前記表示部に表示することが望ましい。
【００１５】
また上記構成のＡＶ機器において、自機器の視聴制限情報と前記レイティング情報と前記通信部が通信可能な通信装置の情報とに基づいて前記通信部を介して前記他の通信機器に認証情報の設定要求を行うことが望ましい。
【発明の効果】
【００１６】
本発明によれば、視聴制限条件に該当する毎に他の通信機器に認証情報の設定要求を行い、認証情報の設定要求に対する他の通信機器からの応答に応じて所定の処理を実行する。つまり視聴制限条件に該当する毎に認証情報の設定要求が行われるので、認証情報を毎回（視聴制限条件に該当する毎に）変更することが可能となる。認証情報が変更された場合には、視聴制限対象者が以前の認証情報を知っていたとしてもその認証情報（以前の認証情報）を用いて視聴制限を解除することができない。
【図面の簡単な説明】
【００１７】
【図１】一実施形態の放送受信装置の構成を示すブロック図
【図２】端末情報の一例を示す第１の図
【図３】放送受信装置の制御部が実行する処理の例を示す第１のフローチャート
【図４】メール画面の一例を示す第１の図
【図５】放送受信装置の制御部が実行する処理の例を示す第２のフローチャート
【図６】放送受信装置の制御部が実行する処理の例を示す第３のフローチャート
【図７】放送受信装置の制御部が実行する処理の例を示す第４のフローチャート
【図８】メール画面の一例を示す第２の図
【図９】端末情報の一例を示す第２の図
【発明を実施するための形態】
【００１８】
＜第１実施形態＞
以下に本発明のＡＶ機器について図面を参照して説明する。なお、以下に示す第１実施形態〜第４実施形態は、本発明の技術的思想を具体化するためにＡＶ機器の一例として放送受信装置を示すものであって、本発明をこの放送受信装置に特定することを意図するものではなく、特許請求の範囲に含まれるその他の実施形態のＡＶ機器にも等しく適応し得るものである。例えば第５実施形態にて説明するようにＤＶＤやＢＤ等の光ディスクを再生可能な光ディスク装置であってもよい。
【００１９】
図１は本実施形態の放送受信装置の構成の一例を示す図である。放送受信装置１００はチューナ２、復調器３、誤り訂正部４、分離部５、オーディオデコーダ６、ビデオデコーダ７、フレームメモリ８、番組配列情報デコーダ９、映像処理部１０、ＯＳＤ生成部１１、制御部１２、記憶部１３及び通信部１４を備える。また、放送受信装置１００はスピーカ１５０及び表示装置２００と外部接続される。なお、スピーカ１５０及び表示装置２００は放送受信装置１００に内蔵される（内蔵スピーカー及び内蔵モニター）ものであってもよい。
【００２０】
チューナ２はアンテナ１の出力信号（以下、「アンテナ１の出力信号」を「放送信号」と称することもある。）を取得する。そして、チューナ２は放送信号に対して選局チャンネルに対応する周波数の局部発振信号を乗算してベースバンド信号に周波数変換する。
【００２１】
復調器３はチューナ２の出力信号に対して復調処理を行い、復調信号を出力する。誤り訂正部４は復調器３の出力信号に対して必要に応じた誤り訂正を行う。分離部５は誤り訂正部４の出力信号をオーディオデータ（音声情報）、ビデオデータ（映像情報）、番組配列情報（ＥＰＧ情報及びレイティング情報を含む）に分離復号し、オーディオデータをオーディオデコーダ６、ビデオデータをビデオデコーダ７、番組配列情報を番組配列情報デコータ９に供給する。
【００２２】
オーディオデコーダ６は入力されたオーディオデータを例えばＭＰＥＧ方式でデコードしてスピーカ１５０に出力する。ビデオデコータ７は入力されたビデオデータを例えばＭＰＥＧ方式でデコードしてフレームメモリ８に供給する。番組配列情報デコーダ９は入力された番組配列情報をデコードして制御部１２に出力する。
【００２３】
フレームメモリ８はビデオデータを一時的に格納するメモリ領域である。映像処理部１０はフレームメモリ８に格納されたビデオデータを表示装置２００での表示に適した映像信号に変換して表示装置２００に出力する。
【００２４】
なお、映像処理部１０はＯＳＤ生成部１１から出力されたＯＳＤ信号を入力した場合にフレームメモリ８に格納されたビデオデータにＯＳＤ信号を重畳した映像信号を生成し表示装置２００での表示に適した映像信号に変換して表示装置２００に出力する。
【００２５】
ＯＳＤ生成部１１は文字や図形等のＯＳＤ画面を生成し、生成したＯＳＤ画面を信号化したＯＳＤ信号を映像処理部１０に出力する。
【００２６】
制御部１２は放送受信装置１００全体を制御する制御手段である。制御部１２はＣＰＵとＲＯＭとＲＡＭ（いずれも不図示）とを含んでいる。ＲＯＭには制御部１２が実行するプログラム、プログラムの実行に必要なパラメータやデータが記憶されている。ＣＰＵはＲＯＭに記憶されている各種プログラムを実行する。ＲＡＭは各種処理の過程で得られるデータや各種処理の結果得られるデータを一時的に格納する。これらＣＰＵ、ＲＡＭ、ＲＯＭ等は、バスを介して接続されている。なお、ＣＰＵ、ＲＯＭ及びＲＡＭはこれらの一部または全部を１チップに集積化しても構わない。
【００２７】
また、制御部１２は自装置の視聴制限情報を設定する視聴制限情報設定部１２１及び端末情報設定部１２２を有する。視聴制限情報設定部１２１は自装置を使用する主たるユーザの年齢設定を行う。年齢設定はパスワード等のセキュリティにより管理者のみが行えるようになっている。本実施形態で管理者とは視聴制限を設定する権限を有する者であり、一般家庭において視聴制限対象者は子供がこれに該当し、管理者は親がこれに該当するのが一般的である。端末情報設定部１２２は通信部１４と通信可能な通信装置の識別情報（例えばＭＡＣアドレス）と当該端末の使用者との関連付けを設定する。視聴制限情報及び端末情報（例えば図２に示すテーブル）は記憶部１３に記憶される。
【００２８】
また、制御部１２はＯＳＤ生成部１１を制御してビデオデータに重畳させるＯＳＤ画面を生成させる。ＯＳＤ生成部１１が生成するＯＳＤ画面の詳細は後述する。
【００２９】
通信部１４は、ネットワークインタフェースであり、例えばイーサネット（登録商標）ポートを含み家庭内ネットワークに接続される。制御部１２は通信部１４を介して家庭内ネットワークに存在する通信装置と通信可能である。
【００３０】
次に制御部１２が実行する処理について図３を参照して説明を行う。図３は本実施形態の放送受信装置１００の制御部１２が実行する処理の一例を示すフローチャートである。ステップＳ０１において制御部１２はレイティング情報を取得したか否かを判定する。レイティング情報は上述したように分離部５によって分離され、番組配列情報デコーダ９を介して制御部１２に入力される。
【００３１】
なお、テレビ番組においてレイティング情報はレイティング情報を制御部１２に入力すべき状況になった際に制御部１２に入力され、それ以外の場合には入力されない。レイティング情報を制御部１２に入力すべき状況は、例えば放送受信装置１００の電源がＯＮになった場合、選局チャンネルが変更された場合、選局チャンネルは同一であるがテレビ番組が変わった場合（テレビ番組が終了し、新たなテレビ番組が開始された場合）である。
【００３２】
レイティング情報を取得した場合（ステップＳ０１のＹ）にはステップＳ０２に進み、レイティング情報を取得していない場合（ステップＳ０１のＮ）にはステップＳ０１に戻る。
【００３３】
ステップＳ０２において制御部１２はレイティング情報に含まれる年齢情報（年齢を示す数値）と視聴制限設定部１２１により設定された視聴制限情報に含まれる年齢情報（年齢を示す数値）とを比較し、視聴制限情報に含まれる年齢情報がレイティング情報に含まれる年齢情報未満であるか否かを判定する。視聴制限情報に含まれる年齢情報がレイティング情報に含まれる年齢情報未満であれば（ステップＳ０２のＹ）ステップＳ０３に進み、視聴制限情報に含まれる年齢情報がレイティング情報に含まれる年齢情報未満でなければステップＳ０１に戻る。
【００３４】
ステップＳ０３において制御部１２は選局チャンネルのテレビ番組に対して視聴制限を実行し、管理者の通信装置（図２のＡ）に対して認証情報の設定要求を行う。テレビ番組に対する視聴制限の設定とは映像の非表示（スクランブル処理を含む）及び消音設定である。認証情報の設定要求は例えば放送受信装置１００から端末Ａへのメール送信によって行われ、当該メールには各種情報（例えば、対象機器情報、放送日時、番組名、番組内容、レイティング情報）が記載され、また、認証情報設定項目が設けられる（図４参照）。
【００３５】
管理者は図４に示すようなメール画面に基づいて認証情報設定を行う。図４では対象機器が子１の部屋にある放送受信装置であり、その放送受信装置の前に子１がおり、或いは、誰がいるか不明である場合には「視聴制限」を選択し、パスワードを入力して「返信」を選択して確定することで放送受信装置１００に対して認証情報が返信（送信）される。また、対象機器は子１の放送受信装置であるが、その放送受信装置の前に自身（父）或いは母がいることが分かっている場合には視聴制限をする必要がないため、「視聴承認」を選択し、「返信」を選択して確定することで放送受信装置１００に対して承認情報が返信（送信）される。
【００３６】
なお、対象機器の放送受信装置がどの部屋の放送受信装置であるか否かの情報は必須情報ではなく、メール画面に表示されなくてもよい。
【００３７】
ステップＳ０４において制御部１２は管理者の通信装置から認証情報設定要求に対する応答があったか否かを判定する。通信装置から認証情報設定要求に対する応答があれば（ステップＳ０４のＹ）ステップＳ０５に進み、通信装置から認証情報設定要求に対する応答がなければ（ステップＳ０４のＮ）ステップＳ０４に戻る。
【００３８】
ステップＳ０５において制御部１２はステップＳ０４で受信した管理者の通信装置からの応答が認証情報であるか否か（認証情報であるか承認情報であるか）を判定する。管理者の通信装置からの応答が認証情報であれば（ステップＳ０５のＹ）ステップＳ０６に進み、管理者の通信装置からの応答が認証情報でなければ、すなわち承認情報であれば（ステップＳ０５のＮ）ステップＳ０８に進む。
【００３９】
ステップＳ０６において制御部１２はＯＳＤ生成部１１を制御して認証画面を生成させて表示装置２００の画面上に認証画面を表示させる。認証画面はパスワード入力可能な認証画面であり、放送受信装置１００の前にいるユーザはリモコン等を操作することでパスワードを入力することができる。
【００４０】
ステップＳ０７において制御部１２は認証画面においてユーザにより入力されたパスワードが管理者の通信装置から取得した認証情報に含まれるパスワードと一致するか否かを判定する。パスワードが一致すれば（ステップＳ０７のＹ）ステップＳ０８に進み、パスワードが一致しなければ（ステップＳ０７のＮ）ステップＳ０７に戻る。
【００４１】
ステップＳ０８において制御部１２は選局チャンネルのテレビ番組に対する視聴制限を解除し、映像を表示し、音声を出力する。視聴制限を解除した後はステップＳ０１に戻り、制御部１２はレイティング情報を取得する毎に上記処理を行う。
【００４２】
本実施形態によれば、レイティング情報を取得する毎に自機器の視聴制限情報とレイティング情報とに基づいて他の通信機器（例えば管理者の所持する通信装置）に認証情報の設定要求が行われ、その応答に基づいて所定の処理が実行される。つまり認証情報をレイティング情報が取得される毎に変更することが可能であり、視聴制限対象者が認証情報を知ったとしてもその認証情報を用いて次回以降に視聴制限を解除することができない。
【００４３】
＜第２実施形態＞
図５は本実施形態の放送受信装置１００の制御部１２が実行する処理の一例を示すフローチャートである。図５のフローチャートのＳ１１〜Ｓ１２、Ｓ１４〜Ｓ１８は夫々図３のフローチャートのＳ０１〜Ｓ０２、Ｓ０４〜Ｓ０８と同様の処理であるため説明を省略する。
【００４４】
ステップＳ１３において制御部１２は選局チャンネルのテレビ番組に対して視聴制限を実行し、ＯＳＤ生成部１１を制御して待機画面を生成させて表示装置２００の画面上に待機画面を表示させる。また、管理者の通信装置に対して認証情報の設定要求を行う。選局チャンネルのテレビ番組に対する視聴制限及び管理者の通信装置に対する認証情報の設定要求は第１実施形態と同様である。
【００４５】
ＯＳＤ生成部１１に生成させる待機画面は特に限られるものではないが、管理者に対して認証情報の設定要求を実行していることにより視聴制限が実行されていることが認識可能な待機画面であることが望ましい。また、待機画面としてパスワード入力不能な認証画面を表示することとしてもよい。これにより、ステップＳ１３で表示される待機画面とステップＳ１６で表示される認証画面との差異がパスワード入力の可否だけであり、ステップＳ１６における認証画面の表示処理を迅速に行うことができる。
【００４６】
本実施形態によれば第１実施形態と同様の効果を奏する。加えて、選局チャンネルのテレビ番組が視聴できない原因が管理者による視聴制限であることを認識することができ、パスワードを管理者に聞きに行ったり、選局チャンネルを変更する等の行動をとることができる。
【００４７】
＜第３実施形態＞
図６は本実施形態の放送受信装置１００の制御部１２が実行する処理の一例を示すフローチャートである。図６のフローチャートのＳ２１〜Ｓ２５、Ｓ２７〜Ｓ２８は夫々図５のフローチャートのＳ１１〜Ｓ１５、Ｓ１７〜Ｓ１８と同様の処理であるため説明を省略する。
【００４８】
ステップＳ２６において制御部１２はＯＳＤ生成部１１を制御して認証画面を生成させて表示装置２００の画面上に認証画面を表示させる。また、認証情報を視聴制限対象者以外のユーザの通信装置（図２に示す端末Ａ及び端末Ｂ）に対して送信する。認証情報を受信したユーザはステップＳ２６で表示される認証画面において受信した認証情報を入力することで視聴制限を解除することができる。
【００４９】
本実施形態によれば第２実施形態と同様の効果を奏する。加えて、視聴制限対象者が以外の者は認証情報を知ることができるので視聴制限の解除が容易である。なお、本実施形態は第２実施形態の変形例として説明したが、第１実施形態の変形例としてもよい。
【００５０】
＜第４実施形態＞
図７は本実施形態の放送受信装置１００の制御部１２が実行する処理の一例を示すフローチャートである。図７のフローチャートのＳ３１〜Ｓ３２、Ｓ３４、Ｓ３７〜Ｓ３８は夫々図６のフローチャートのＳ２１〜Ｓ２２、Ｓ２４、Ｓ２７〜Ｓ２８と同様の処理であるため説明を省略する。
【００５１】
上記各実施形態では放送受信装置１００から認証情報の設定要求を管理者の通信装置に対して送信し、管理者が認証情報を設定することとしたがこれに限られるものではなく認証情報は放送受信装置１００が設定することとしてもよい。
【００５２】
ステップＳ３３において制御部１２は選局チャンネルのテレビ番組に対して視聴制限を実行し、ＯＳＤ生成部１１を制御して待機画面を生成させて表示装置２００の画面上に待機画面を表示させる。また、管理者の通信装置に対して認証情報の設定要求を行う。選局チャンネルのテレビ番組に対する視聴制限は第１実施形態と同様である。
【００５３】
管理者の通信装置に対する認証情報の設定要求は例えば放送受信装置１００から端末Ａへのメール送信によって行われ、当該メールには各種情報（例えば、対象機器情報、放送日時、番組名、番組内容、レイティング情報）が記載され、また、認証情報設定項目が設けられる（図８参照）。本実施形態では図４に示すメール画面と異なり、パスワードを入力する欄が設けられておらず、放送受信装置１００に対してパスワード設定の指示を行う旨が表示される。管理者が「視聴制限」を選択し、「返信」を選択して確定すると放送受信装置１００に対して認証情報作成指示情報が返信（送信）される。また、管理者が「視聴承認」を選択し、「返信」を選択して確定することで放送受信装置１００に対して承認情報が返信（送信）される。
【００５４】
ステップＳ３５において制御部１２はステップＳ３４で受信した管理者の通信装置からの応答が認証情報作成指示情報であるか否か（認証情報作成指示情報である承認情報であるか）を判定する。管理者の通信装置からの応答が認証情報作成指示情報であれば（ステップＳ３５のＹ）ステップＳ３６に進み、管理者の通信装置からの応答が認証情報作成指示情報でなければ、すなわち承認情報であれば（ステップＳ３５のＮ）ステップＳ３８に進む。
【００５５】
ステップＳ３６において制御部１２は認証情報作成指示情報に基づいて認証情報を作成する。また、制御部１２はＯＳＤ生成部１１を制御して認証画面を生成させて表示装置２００の画面上に認証画面を表示させる。また、認証情報を視聴制限対象者以外のユーザの通信装置（図２に示す端末Ａ及び端末Ｂ）に対して送信する。認証情報を受信したユーザはステップＳ３６で表示される認証画面において受信した認証情報を入力することで視聴制限を解除することができる。
【００５６】
制御部１２により生成される認証情報は任意のパスワードをランダムに決定することとしてもよいし、予め定められた複数のパスワードの中から一のパスワードを選択することとしてもよい。
【００５７】
本実施形態によれば第３実施形態と同様の効果を奏する。加えて、管理者自身がパスワードを決定する必要がないので管理者の手間を省くことができる。
【００５８】
＜第５実施形態＞
上記各実施形態では本発明のＡＶ機器の一例として放送受信装置を例に、テレビ番組に対する視聴制限について説明したが、これに限られるものではなく、ＤＶＤやＢＤ等の光ディスクを再生可能な光ディスク装置であってもよい。以下、光ディスク装置の場合の処理について簡潔に述べる。
【００５９】
光ディスクから光ディスク装置に入力された信号は分離部によってオーディオデータ（音声情報）、ビデオデータ（映像情報）、コンテンツ情報に分離復号される。コンテンツ情報にはコンテンツ名を示す情報やレイティング情報が含まれ、制御部は自装置の視聴制限情報とコンテンツのレイティング情報に基づいて第１実施形態〜第４実施形態に示す処理を実行することができる。
【００６０】
すなわち本願発明のＡＶ機器は、入力信号からレイティング情報を分離する分離部と、他の通信機器と通信する通信部と、レイティング情報を取得する毎に自機器の視聴制限情報とレイティング情報とに基づいて通信部を介して他の通信機器に認証情報の設定要求を行い、認証情報の設定要求に対する他の通信機器からの応答に応じて所定の処理を実行する制御部と、を備える構成とすればよい。
【００６１】
本実施形態によれば第１実施形態〜第４実施形態と同様の効果を奏する。
【００６２】
＜補足＞
上記各実施形態では、端末情報設定部１２２により管理者を一名設定し、視聴制限情報に含まれる年齢情報がレイティング情報に含まれる年齢情報未満である場合に、管理者の通信装置に対して認証情報の設定要求を行うこととした。しかし、管理者は一人に限られるものではなく、図９に示すように管理者を複数名設定し、管理者間で順位を設定することとしてもよい。これにより所定の条件に該当しない管理者のうち最高順位の管理者の通信端末に対して認証情報の設定要求を行うことができる。これにより状況に応じて適切な管理者により認証情報の設定要求が実行される。
【００６３】
所定の条件としては、例えば管理者の通信端末が家庭内ネットワークに不在である場合がこれに該当し、家庭内ネットワークに存在する管理者の中で最高順位の管理者の通信端末に対して認証情報の設定要求を行う。
【００６４】
また、上記実施形態において通信部１４は家庭内ネットワークに接続されるものであったが、これに限られるものではなくインターネットにも接続可能であってもよい。その場合、家庭内ネットワーク内に存在しない管理者の通信端末であってもインターネットを介して通信することが可能である。従って所定の条件としては、第１の管理者が自身の通信端末の電源をオフにしたり、通信圏外にいる等、インターネットを介しても通信が不能な場合がこれに該当し、通信部１４と通信可能な管理者の通信端末の中で最高順位の管理者の通信端末に対して認証情報の設定要求を行う。
【００６５】
また、上記各実施形態では視聴制限情報に含まれる年齢情報がレイティング情報に含まれる年齢情報未満である場合に、管理者の通信装置に対して認証情報の設定要求を行うこととしたが、さらに、通信部１４が通信可能な通信装置の情報にも基づいて管理者の通信装置に対して認証情報の設定要求を行うこととしてもよい。なお、通信部１４が通信可能な通信装置とは家庭内ネットワークに存在する通信装置と言い換えることができる。
【００６６】
例えば子１の放送受信装置において視聴制限情報に含まれる年齢情報がレイティング情報に含まれる年齢情報未満となっても、家庭内ネットワークに存在する通信装置が端末Ａ及び端末Ｂであり、端末Ｃ及び端末Ｄが存在しない場合には、子１の放送受信装置を使用している者は子供ではない。このような場合には、認証情報の設定要求を行わないこととしてもよい。
【００６７】
また、例えば父の放送受信装置であったとしても家庭内ネットワーク上に端末Ａが存在しない場合には、父の放送受信装置を使用している者は子１又は子２である可能性がある。従ってこのような場合には、端末Ｂに対して認証情報の設定要求を行うこととしてもよい。これにより家庭内ネットワークに存在する通信装置にも応じて視聴制限の要否が判断される。
【００６８】
また、上記各実施形態ではレイティング情報と視聴制限情報とを比較して視聴制限の要否を判断しているがこれに限られるものではない。例えば子１の放送受信装置においてはレイティング情報に関係なく特定のチャンネルや特定のポート（例えばゲーム機の接続端子等の外部入力端子）に対して視聴制限を設定することとしてもよい。そして例えば子１が視聴制限が設定されている特定のチャンネルを選局した場合に管理者の通信装置に対して認証情報の設定要求を行ってもよい。つまり予め設定されている視聴制限条件に該当する毎に管理者の通信装置に対して認証情報の設定要求を行う。
【００６９】
すなわち本願発明のＡＶ機器は、他の通信機器と通信する通信部と、視聴制限条件に該当する毎に通信部を介して他の通信機器に認証情報の設定要求を行い、認証情報の設定要求に対する前記他の通信機器からの応答に応じて所定の処理を実行する制御部と、を備える構成とすればよい。
【符号の説明】
【００７０】
１      アンテナ
２      チューナ
３      復調部
４      誤り訂正部
５      分離部
６      オーディオデコーダ
７      ビデオデコーダ
８      フレームメモリ
９      番組配列情報デコーダ
１０    映像処理部
１１    ＯＳＤ生成部
１２    制御部
１３    記憶部
１４    通信部
１００  放送受信装置
１５０  スピーカ
２００  表示装置
【図１】
2015104079.tif 000003
【図２】
2015104079.tif 000004
【図３】
2015104079.tif 000005
【図４】
2015104079.tif 000006
【図５】
2015104079.tif 000007
【図６】
2015104079.tif 000008
【図７】
2015104079.tif 000009
【図８】
2015104079.tif 000010
【図９】
2015104079.tif 000011